(57)【特許請求の範囲】
【請求項１】
被加熱物が収容される加熱室を有し、複数のキーを有する操作部が設けられた本体と、前記被加熱物を加熱する加熱手段と、前記操作部のキー操作に基づいて、前記加熱手段を制御して通常の加熱調理を行う通常調理モードまたは前記加熱手段の制御を禁止して模擬加熱調理を行う店頭デモモードのいずれかを選択し、該選択されたモードを実行する制御装置と、前記通常調理モードの選択回数を記憶する記憶手段とを設け、前記制御装置は、前記記憶手段に記憶されている通常調理モードの選択回数が予め設定された通常調理モードの選択回数以上のときに、該通常調理モードの選択なしに通常調理モードに移行し、前記操作部のキー操作により加熱調理を開始することを特徴とする加熱調理器。
【請求項２】
制御装置は、記憶手段に記憶されている通常調理モードの選択回数が予め設定された通常調理モードの選択回数未満で該通常調理モードが選択されたときに、前記記憶手段に記憶されている選択回数を更新し、通常調理モードに移行することを特徴とする請求項１記載の加熱調理器。
【請求項３】
制御装置は、通常調理モードが選択なしに実行されているときに、操作部のキー操作により記憶手段に記憶されている通常調理モードの選択回数をクリアにして、通常調理モードおよび店頭デモモードのいずれかを選択可能にすることを特徴とする請求項１または２記載の加熱調理器。
【請求項４】
制御装置は、記憶手段に記憶されている通常調理モードの選択回数が予め設定された通常調理モードの選択回数未満で、操作部のキー操作により店頭デモモードが選択されたときに、前記記憶手段に記憶されている通常調理モードの選択回数をクリアにして、店頭デモモードを実行することを特徴とする請求項１乃至３のいずれかに記載の加熱調理器。
【発明の詳細な説明】
【０００１】
【発明の属する技術分野】
本発明は、実際の加熱調理は行わずにキー操作や使い方などを店頭にて実演して説明することができる店頭デモモードを有する例えばオーブンレンジの如き加熱調理器に関するものである。
【０００２】
【従来の技術】
最近のオーブンレンジなどの加熱調理器は、マイクロコンピュータが搭載されていて操作が複雑であるため、販売促進のためには店頭にて複雑な操作を実演して顧客に説明する必要がある。この操作実演においては、加熱手段であるヒータまたはマグネトロン等が駆動されるので、操作実演を行うごとに被加熱物を加熱調理器の加熱室内に収容して加熱調理を実行させなければならず面倒であり、簡単に行うことができるものではなかった。また、店頭に陳列されている加熱調理器の加熱室内には、加熱室内に設置されるターンテーブルや付属品である容器などが梱包された状態で入っているため、操作実演で被加熱物を加熱調理する場合にはこの梱包物を取り出したり、梱包を解いたりしなければならず、面倒であった。仮に梱包物を入れたままで加熱調理が行われると、梱包物が加熱されて発火し、極めて危険な事態が生じるなどの問題があった。
【０００３】
そこで、このような店頭での操作実演の厄介さおよび発火の危険性を回避するために、キーボードからの入力信号によってマイクロコンピュータを制御し、マイクロコンピュータの出力信号によって加熱手段を制御するものにおいて、キーボードは予め設定された第１のファンクションキーと第２のファンクションキーとを有し、かつ、第１のファンクションキーと第２のファンクションキーの間に複数のキーが設置し得る距離、第１のファンクションキーと第２のファンクションキーは互いに離れており、第１のファンクションキーはキーボードに設けられた第１のファンクションキー以外のキーよりも使用頻度が低いファンクションキーであり、第１のファンクションキーとともに第２のファンクションキーを入力操作することにより、加熱手段のみを動作停止する加熱停止手段を具備した加熱調理器が実公平３−１７１３４号公報に開示されている。
【０００４】
つまり、この加熱調理器は、第１のファンクションキーと第２のファンクションキーを入力操作するという特殊操作により、加熱手段への通電を断つというものである。このような特殊操作は、顧客が加熱調理器を購入して家庭で使用する場合は全く必要がないため、顧客には知らされておらず、顧客が行うことがないようなものとなっている。よって、加熱調理器の電源が一旦切られた状態になると、その特殊操作は解除されて通常の加熱調理が行える状態となるため、購入先では使い勝手がよいものであった。しかしながら、操作実演を行う店頭では、一日の店頭業務の終了等によって電源を切った場合、その特殊操作による加熱手段への通電を断つという店頭デモモードは解除されてしまうため、次の日に電源を投入して同様の操作実演を行う場合は、再び特殊操作を行わなければならなかった。
【０００５】
よって、このような操作実演での煩わしさを解消するために、特殊操作により一旦店頭デモモードに移行すると、電源を切りその後電源を投入した場合でも特殊操作の不揮発性メモリへの記憶に基づいて特殊操作なしで（簡単な操作により）再度店頭デモモードに移行できるようにした調理器が、特開平５−３３９４４号公報に開示されている。
【０００６】
【発明が解決しようとする課題】
上記のような従来の調理器（加熱調理器）は、複雑な特殊操作を行って一旦店頭デモモードに移行すると、その特殊操作と異なる特別な操作を行って店頭デモモードを解除しないかぎり、電源のＯＮ／ＯＦＦを行っても他のモードに移行しないため、販売側でもとても好都合であった。しかしながら、このような調理器（加熱調理器）を購入側に渡す場合、特別な操作を行って店頭デモモードを解除させなければならず、この特別な操作を怠ると、購入側で店頭デモモードが実行されてしまい、通常の加熱調理を行う通常調理モードが実行されなかったり、購入側で店頭デモモードを解除する特別な操作を行わなければならないなど、問題があった。
【０００７】
本発明は、上記のような課題を解決するためになされたもので、購入側では店頭デモモードに移行せず確実に通常調理モードを実行でき、販売側では簡単に店頭デモモードを実行することのできる使い勝手のよい加熱調理器を提供することを目的としたものである。
【０００８】
【課題を解決するための手段】
本発明に係る加熱調理器は、被加熱物が収容される加熱室を有し、複数のキーを有する操作部が設けられた本体と、被加熱物を加熱する加熱手段と、操作部のキー操作に基づいて、加熱手段を制御して通常の加熱調理を行う通常調理モードまたは加熱手段の制御を禁止して模擬加熱調理を行う店頭デモモードのいずれかを選択し、選択されたモードを実行する制御装置と、通常調理モードの選択回数を記憶する記憶手段とを設け、制御装置は、記憶手段に記憶されている通常調理モードの選択回数が予め設定された通常調理モードの選択回数以上のときに、通常調理モードの選択なしに通常調理モードに移行し、操作部のキー操作により加熱調理を開始するものである。
【０００９】
本発明に係る加熱調理器の制御装置は、記憶手段に記憶されている通常調理モードの選択回数が予め設定された通常調理モードの選択回数未満で通常調理モードが選択されたときに、通常調理モードを選択して記憶手段に記憶されている選択回数を更新し、通常調理モードに移行するものである。
【００１０】
本発明に係る加熱調理器の制御装置は、通常調理モードが選択なしに実行されているときに、操作部のキー操作により記憶手段に記憶されている通常調理モードの選択回数をクリアにして、通常調理モードおよび店頭デモモードのいずれかを選択可能にするものである。
【００１１】
本発明に係る加熱調理器の制御装置は、記憶手段に記憶されている通常調理モードの選択回数が予め設定された通常調理モードの選択回数未満で、操作部のキー操作により店頭デモモードが選択されたときに、記憶手段に記憶されている通常調理モードの選択回数をクリアにして、店頭デモモードを実行するものである。
【００１２】
【発明の実施の形態】
実施の形態１．
図１は本発明の実施の形態１の要部の構成を示すブロック図、図２は本発明の実施の形態１の斜視図、図３は本発明の実施の形態１に係る操作部の正面図である。図において、１は前面側に開口部を有する加熱調理器のほぼ箱状の本体、２は本体１内に設けられ前面側に開口部を有するほぼ箱状の加熱室、３は本体１の前面側に開閉自在に取り付けられたドアで、閉塞時には本体１の開口部および加熱室２の開口部を閉塞する。
【００１３】
４は加熱室２内の底部に設けられたターンテーブルで、加熱室２の下部に設けられたターンテーブルモータ５によって回転し、ターンテーブル４には例えば調理皿（図示せず）に収容された被加熱物（図示せず）が載置される。６は加熱室２の天面等の外側に設けられ、加熱室２（被加熱物）を加熱するヒータ、７は加熱室２の一方の側壁（例えば右側壁２ａ）の外側に設けられマイクロ波を発振させて被加熱物をマイクロ波により加熱調理するマグネトロンで、ヒータ６およびマグネトロン７により加熱手段が構成されている。また、マグネトロン７の近傍には、マグネトロン７を冷却する冷却ファン８が設けられ、加熱室２の他方の側壁（例えば左側壁）には、加熱調理中、加熱室２内を照らす庫内灯９が設けられている。
【００１４】
１０は本体１の前面側にドア３に隣接して設けられた操作部で、各調理を設定するレンジキー１１ａ、オーブンキー１１ｂ、グリルキー１１ｃ、あたためキー１１ｄおよび自動メニューキー１１ｅと、設定された調理をスタートさせるスタートキー１２と、設定した調理等を取り消すとともに、実行されている調理動作を途中で停止させるとりけしキー１３と、調理時間等を設定するタイマつまみ１４と、設定した調理の設定内容、調理時間および調理温度などを表示する表示器１５と、電源をＯＮ／ＯＦＦするスイッチ（図示せず）を備えている。
【００１５】
なお、表示器１５は、電源が投入されると、すでに通常調理モードが選択された状態となっていない限り店頭デモモード状態であることを示す例えば連続した異なる表示（調理内容、調理時間および調理温度などの文字や数字）が自動的に順次表示される連続表示デモが表示され、通常調理モードが選択された状態のときは、通常調理モード状態であることを示す例えば「０」の数値が表示される。
【００１６】
１６は本体１内に設けられたマイクロコンピュータからなる制御装置で、操作部１０からの操作情報に基づいて、ターンテーブルモータ５、ヒータ６、マグネトロン７、冷却ファン８、庫内灯９および表示器１５を駆動制御し、加熱調理器の各種の加熱調理を実行する通常調理モードと、ヒータ６およびマグネトロン７以外のターンテーブルモータ５、冷却ファン８、庫内灯９および表示器１５を駆動制御し、加熱調理器の各種の加熱調理のデモを実行する店頭デモモードとを選択し、選択されたモードに基づいて実行する。１７は本体１内に設けられ、通常調理モードが選択された回数ｎの情報が記憶されるメモリである。
【００１７】
次に、本発明の実施の形態１の作用について、図４および図５のフローチャートを用いて説明する。
例えば加熱調理器を購入した側で通常の加熱調理に使用する場合、初めて使用するときは、まず加熱調理器がどのモード状態にあるかわからないので、本体１の操作部１０に設けられた電源スイッチを操作して電源を投入し、操作部１０の例えばとりけしキー１３を連続して３回押すと、制御装置１６は、メモリ１７に記憶されている通常調理モードが選択された回数ｎの情報をクリア（ｎ＝０）にする（図４のＳ１）。そして、操作部１０の電源スイッチを操作して電源を切断し、通常の加熱調理が行える状態にする。なお、この操作は、購入後最初に一度行えばよい。
【００１８】
通常の加熱調理が行える状態において、ドア３を開放して加熱室２内のターンテーブル４上に被加熱物が収容された調理皿を載置し、ドア３を閉塞した後、操作部１０の電源スイッチを操作して電源を投入すると（Ｓ２）、制御装置１６は、メモリ１７に記憶されている通常調理モードが選択された回数ｎの情報を読み込み（Ｓ３）、その回数ｎが予め設定された回数ｎ１（ここではｎ１＝３回）以上であるかを判定し（Ｓ４）、回数ｎが設定回数ｎ１（３回）以上（ｎ≧３）の場合は、すでに複数回通常の加熱調理が行われて通常調理モードが選択されていることとなり、操作部１０の表示器１５に通常調理モード状態であることを示す例えば「０」の数値を表示させ（Ｓ５）、加熱調理器を通常の加熱調理待機状態とする（Ｓ６）。
【００１９】
ついで、制御装置１６は、メモリ１７に記憶されている通常調理モードが選択された回数ｎの情報をクリアにする操作（とりけしキー１３を連続して３回押す）が行われたかを判定し（Ｓ７）、クリア操作が行われたときは、再度通常調理モードが選択された回数ｎと予め設定された回数ｎ１との判定に戻り（Ｓ３，Ｓ４・・・）、クリア操作が行われていないときは通常調理モードのままであるので、操作部１０の電源スイッチが操作されて電源が切断されたかを判定し（Ｓ８）、電源が切断された場合は加熱調理器の通常の加熱調理待機状態を終了させて次の電源投入を待つ（Ｓ２・・・）。
【００２０】
また、電源が切断されなかった場合は操作部１０からの操作情報待ち状態となり、操作部１０の調理を設定するいずれかのキー１１ａ〜１１ｅ等が操作されると（Ｓ９）、制御装置１６は、その操作情報に基づいてヒータ６またはマグネトロン７およびターンテーブルモータ５等を駆動して、加熱室２内に収容された被加熱物の加熱調理を開始する（Ｓ１０）。このとき、表示器１５には設定された調理の調理時間や調理温度などが表示される。そして、被加熱物の加熱調理が終了すると（Ｓ１１）、制御装置１６は、ヒータ６またはマグネトロン７およびターンテーブルモータ５等の駆動を停止し、次の電源投入を待つ（Ｓ２・・・）。そして、加熱調理中、電源が切断されたりドア３が開放されると（Ｓ１２）、ヒータ６またはマグネトロン７およびターンテーブルモータ５等の駆動を強制的に停止し、次の電源投入を待つ（Ｓ２・・・）。
【００２１】
一方、通常の加熱調理が行える状態で、加熱室２内に被加熱物を収容して電源を投入し、メモリ１７に記憶されている通常調理モードが選択された回数ｎが予め設定された回数ｎ１（３回）未満であった場合（Ｓ４）、制御装置１６は、加熱調理器が通常調理モードであるか店頭デモモードあるかが選択できないため、とりあえず操作部１０の表示器１５に店頭デモモード状態であることを示す例えば連続した異なる表示が自動的に順次表示される連続表示デモを表示させ（Ｓ１３）、操作部１０のスタートキー１２およびとりけしキー１３以外は操作受付不可状態とする（Ｓ１４）。今、加熱調理器は通常の加熱調理として使用するためとりけしキー１３を押すと（Ｓ１５）、制御装置１６は、店頭デモモードから通常調理モードに変更選択し、メモリ１７に記憶されている通常調理モードが選択された回数ｎに１回を加算（ｎ＋１）してその情報を更新するとともに（Ｓ１６）、操作部１０の表示器１５に通常調理モード状態であることを示す例えば「０」の数値を表示させ（Ｓ５）、加熱調理器を通常の加熱調理待機状態とする（Ｓ６）。
【００２２】
そして、前述したように操作部１０の調理を設定するいずれかのキー１１ａ〜１１ｅ等が操作されると、制御装置１６は、その操作情報に基づいてヒータ６またはマグネトロン７およびターンテーブルモータ５等を駆動制御し、加熱室２内に収容された被加熱物を加熱調理する（Ｓ７，Ｓ８，Ｓ９・・・Ｓ２・・・）。
【００２３】
次に、電源が投入され、メモリ１７に記憶されている通常調理モードが選択された回数ｎと予め設定された回数ｎ１（３回）とを判定して回数ｎが設定回数ｎ１未満のときは、回数ｎが設定回数ｎ１以上になるまで前述したように表示器１５に連続表示デモが表示しているときにとりけしキー１３を操作して回数ｎの加算を行って更新し、回数ｎが設定回数ｎ１以上になるとメモリ１７に記憶されている通常調理モードが選択された回数ｎをクリアにする操作が行われない限り、加熱調理器は通常調理モードが選択された状態となって、店頭デモモードに移行することのない通常の加熱調理が行える状態が維持される。
【００２４】
また、例えば加熱調理器を販売する側で操作実演用として使用する場合、通常の加熱調理に使用する場合と同様にメモリ１７に記憶されている通常調理モードが選択された回数ｎの情報をクリア（ｎ＝０）にする操作（とりけしキー１３を連続して３回押す）を行う（Ｓ１）。ついで、通常の加熱調理を行う場合と同様にドア３を開放して加熱室２内に被加熱物を収容し、ドア３を閉塞した後操作部１０の電源スイッチを操作して電源を投入する（Ｓ２）。このとき、実際に加熱調理を行わないので、加熱室２内のターンテーブル４等の梱包は解く必要がなく、被加熱物も模造したものや何もなくてもよい。なお、店頭で実際に通常の加熱調理を行う場合は梱包を解く。
【００２５】
電源が投入されると、制御装置１６は、メモリ１７に記憶されている通常調理モードが選択された回数ｎが予め設定された回数ｎ１（３回）以上であるかを判定し（Ｓ３，Ｓ４）、回数ｎが設定回数ｎ１（３回）以上（ｎ≧３）の場合は、すでに複数回通常の加熱調理が行われて通常調理モードが選択されていることとなり、操作部１０の表示器１５に通常調理モード状態であることを示す例えば「０」の数値を表示させ（Ｓ５）、加熱調理器を通常の加熱調理待機状態とする（Ｓ６）。しかしながら、加熱調理器は操作実演用として使用するため、メモリ１７の回数ｎのクリア操作を行って（Ｓ７）、再度通常調理モードが選択された回数ｎと予め設定された回数ｎ１との判定に戻る（Ｓ３，Ｓ４）。
【００２６】
また、メモリ１７の回数ｎが予め設定された回数ｎ１（３回）未満であった場合（Ｓ４）、制御装置１６は、加熱調理器が通常調理モードであるか店頭デモモードあるかが選択できないため、とりあえず操作部１０の表示器１５に店頭デモモード状態であることを示す連続表示デモを表示させ（Ｓ１３）、操作部１０のスタートキー１２およびとりけしキー１３以外は操作受付不可状態とする（Ｓ１４）。今、加熱調理器は操作実演用として使用するためとりけしキー１３を押さずにスタートキー１２を押すと（Ｓ１５，Ｓ１７）、制御装置１６は店頭デモモードを選択し（Ｓ１８）、ヒータ６およびマグネトロン７を駆動不可にして加熱調理器を模擬加熱調理待機状態とする（図５のＳ２０）。
【００２７】
なお、実際に通常の加熱調理を行う場合は、スタートキー１２を押さずにとりけしキー１３を押して通常調理モードを選択し、前述したようにメモリ１７に記憶されている通常調理モードが選択された回数ｎに１回を加算（ｎ＋１）してその情報を更新するとともに（図４のＳ１６）、操作部１０の表示器１５に通常調理モード状態であることを示す例えば「０」の数値を表示させ（Ｓ５）、加熱調理器を通常の加熱調理待機状態とする（Ｓ６）。そして、そのまま通常の加熱調理を行うときは、操作部１０を操作し、制御装置１６は、その操作情報に基づいてヒータ６またはマグネトロン７およびターンテーブルモータ５等を駆動制御し、加熱室２内に収容された被加熱物を加熱調理する（Ｓ７，Ｓ８，Ｓ９・・・Ｓ２・・・）。
【００２８】
模擬加熱調理待機状態において、操作部１０の調理を設定するいずれかのキー１１ａ〜１１ｅ等が操作されると（図５のＳ２１）、制御装置１６は、その操作情報に基づいてヒータ６およびマグネトロン７以外のターンテーブルモータ５等を駆動して、加熱室２内に収容された被加熱物の模擬加熱調理を開始する（Ｓ２２）。このとき、表示器１５には実際に通常の加熱調理を行う場合と同様に設定された調理の調理時間や調理温度などが表示される。そして、被加熱物の模擬加熱調理が終了すると（Ｓ２３）、制御装置１６は、ターンテーブルモータ５等の駆動を停止し、店頭デモモードを解除して通常調理モードに変更選択する操作（例えばとりけしキー１３を３秒間以上押し続ける）が行われたかを判定し（Ｓ２４）、操作が行われていないときは店頭デモモードのままであるので、操作部１０の電源スイッチが操作されて電源が切断されたかを判定し（Ｓ２５）、電源が切断されるまで模擬加熱調理待機状態を維持して模擬加熱調理を行い（Ｓ２０，Ｓ２１・・・）、電源が切断された場合は加熱調理器の操作実演状態を終了させて次の電源投入を待つ（図４のＳ２・・・）。
【００２９】
そして、電源が投入されても加熱調理器は店頭デモモードのまま（メモリ１７の回数ｎが設定回数ｎ１（３回）未満）であるので（Ｓ４，Ｓ１３，Ｓ１４・・・）、スタートキー１２を押せば加熱調理器は模擬加熱調理待機状態となる（Ｓ１７，Ｓ１８，図５のＳ２０・・・）。
【００３０】
一方、被加熱物の模擬加熱調理が終了した後、店頭デモモードを解除して通常調理モードに変更選択する操作（とりけしキー１３を３秒間以上押し続ける）が行われたときは（Ｓ２４）、制御装置１６は、店頭デモモードから通常調理モードに変更選択し、メモリ１７の回数ｎに１回を加算（ｎ＋１）してその情報を更新するとともに（図４のＳ１６）、操作部１０の表器１５に通常調理モード状態であることを示す例えば「０」の数値を表示させ（Ｓ５）、加熱調理器を通常の加熱調理待機状態とする（Ｓ６）。そして、通常調理モードから店頭デモモードに変更選択する場合は、メモリ１７の回数ｎをクリアする操作を行い（Ｓ７）、加熱調理器を操作実演状態にして次の電源投入を待つ（Ｓ２・・・）。また、販売側で通常の加熱調理を設定回数ｎ１以上行った場合も、回数ｎをクリアする操作を行わない限り通常調理モードが選択された状態となっているため、店頭デモモードを選択する場合には回数ｎをクリアする操作（とりけしキー１３を連続して３回押す）を行う。
【００３１】
このように、加熱調理器を通常の加熱調理に使用する場合、電源投入後、通常の加熱調理を行う際にとりけしキー１３を押すという簡単な操作を行うだけで、店頭デモモード状態にあっても通常調理モードを選択して加熱調理を行うことができるとともに、通常の加熱調理を予め設定された回数ｎ１以上行えば、このとりけしキー１３を押すという簡単な操作も行うことなく加熱調理器を通常調理モードに維持することができ、購入側で店頭デモモードに移行するのを確実に防ぐことができる。これにより、販売側で店頭デモモードを解除するための特別な操作を行わなくてもよく、また従来のように使用頻度が低いキーとそれと離れた位置にあるキーとを操作するなどの複雑でわかりにくい煩わしい操作および制御が必要なくなり、使い勝手のよい加熱調理器を得ることができる。また、加熱調理器を操作実演用として使用する場合、あるいは、販売側で設定回数ｎ１以上実際に通常の加熱調理を行った場合は、メモリ１７に記憶されている通常調理モードが選択された回数ｎをクリアする操作、つまりとりけしキー１３を連続して３回押すという簡単な操作を行うだけで、店頭デモモードを選択し、さらにスタートキー１２を押すという簡単な操作を行うだけで、加熱調理器を模擬加熱調理が可能な状態にすることができ、販売側でも使い勝手のよい加熱調理器を得ることができる。
【００３２】
なお、上述の実施の形態１では、設定回数ｎ１を３回とした場合を示したが、例えば１回でもよく、ほとんど操作なしで通常調理モードに移行できるようにしてもよい。
【００３３】
実施の形態２．
本発明に係る実施の形態２は、実施の形態１に係る加熱調理器において、実際に加熱調理を予め設定された回数ｎ１以上行った後操作実演用に使用する場合に、簡単な操作で店頭デモモードを維持するようにしたものである。
【００３４】
次に、本発明の実施の形態２の作用について、図６および図７のフローチャートを用いて説明する。
例えば加熱調理器を購入した側で通常の加熱調理に使用する場合、実施の形態１で説明した場合と同様に初めて使用するときは、まず加熱調理器の本体１の操作部１０に設けられた電源スイッチを操作して電源を投入し、操作部１０の例えばとりけしキー１３を連続して３回押すと、制御装置１６は、メモリ１７に記憶されている通常調理モードが選択された回数ｎの情報をクリア（ｎ＝０）にする（図６のＳ１０１）。そして、操作部１０の電源スイッチを操作して電源を切断し、通常の加熱調理が行える状態にする。
【００３５】
通常の加熱調理が行える状態において、ドア３を開放して加熱室２内に被加熱物を収容しドア３を閉塞した後、操作部１０の電源スイッチを操作して電源を投入すると（Ｓ１０２）、制御装置１６は、メモリ１７に記憶されている通常調理モードが選択された回数ｎの情報を読み込み（Ｓ１０３）、その回数ｎが予め設定された回数ｎ１（３回）以上であるかを判定し（Ｓ１０４）、回数ｎが設定回数ｎ１（３回）以上（ｎ≧３）の場合は、すでに複数回通常の加熱調理が行われて通常調理モードが選択されていることとなり、操作部１０の表示器１５に通常調理モード状態であることを示す例えば「０」の数値を表示させ（Ｓ１０５）、加熱調理器を通常の加熱調理待機状態とする（Ｓ１０６）。
【００３６】
ついで、制御装置１６は、メモリ１７に記憶されている通常調理モードが選択された回数ｎの情報をクリアにする操作（とりけしキー１３を連続して３回押す）が行われたかを判定し（Ｓ１０７）、クリア操作が行われていないときは通常調理モードのままであるので、操作部１０の電源スイッチが操作されて電源が切断されたかを判定し（Ｓ１０８）、電源が切断された場合は加熱調理器の通常の加熱調理待機状態を終了させて次の電源投入を待つ（Ｓ１０２・・・）。
【００３７】
また、電源が切断されなかった場合は操作部１０からの操作情報待ち状態となり、操作部１０の調理を設定するいずれかのキー１１ａ〜１１ｅ等が操作されると（Ｓ１０９）、制御装置１６は、その操作情報に基づいてヒータ６またはマグネトロン７およびターンテーブルモータ５等を駆動して、加熱室２内の被加熱物の加熱調理を開始する（Ｓ１１０）。このとき、表示器１５には設定された調理の調理時間や調理温度などが表示される。そして、被加熱物の加熱調理が終了すると（Ｓ１１１）、制御装置１６は、ヒータ６またはマグネトロン７およびターンテーブルモータ５等の駆動を停止し、次の電源投入を待つ（Ｓ１０２・・・）。そして、加熱調理中、電源が切断されたりドア３が開放されると（Ｓ１１２）、ヒータ６またはマグネトロン７およびターンテーブルモータ５等の駆動を強制的に停止し、次の電源投入を待つ（Ｓ１０２・・・）。
【００３８】
一方、通常の加熱調理が行える状態で、メモリ１７に記憶されている通常調理モードが選択された回数ｎが予め設定された回数ｎ１（３回）未満であった場合（Ｓ１０４）、制御装置１６は、加熱調理器が通常調理モードであるか店頭デモモードあるかが選択できないため、とりあえず操作部１０の表示器１５に店頭デモモード状態であることを示す例えば連続した異なる表示が自動的に順次表示される連続表示デモを表示させ（Ｓ１１３）、操作部１０のスタートキー１２およびとりけしキー１３以外は操作受付不可状態とする（Ｓ１１４）。ついで、とりけしキー１３を押すと（Ｓ１１５）、制御装置１６は、店頭デモモードから通常調理モードに変更選択し、メモリ１７に記憶されている通常調理モードが選択された回数ｎに１回を加算（ｎ＋１）してその情報を更新するとともに（Ｓ１１６）、操作部１０の表示器１５に通常調理モード状態であることを示す例えば「０」の数値を表示させ（Ｓ１０５）、加熱調理器を通常の加熱調理待機状態とする（Ｓ１０６）。
【００３９】
そして、前述したように操作部１０の調理を設定するいずれかのキー１１ａ〜１１ｅ等が操作されると、制御装置１６は、その操作情報に基づいてヒータ６またはマグネトロン７およびターンテーブルモータ５等を駆動制御し、加熱室２内の被加熱物を加熱調理する（Ｓ１０７，Ｓ１０８，Ｓ１０９・・・Ｓ１０２・・・）。
【００４０】
次に、電源が投入され、メモリ１７に記憶されている通常調理モードが選択された回数ｎと予め設定された回数ｎ１（３回）とを判定して回数ｎが設定回数ｎ１未満のときは、回数ｎが設定回数ｎ１以上になるまで前述したように表示器１５に連続表示デモが表示しているときにとりけしキー１３を操作して回数ｎの加算を行って更新し、回数ｎが設定回数ｎ１以上になるとメモリ１７に記憶されている通常調理モードが選択された回数ｎをクリアにする操作が行われない限り、加熱調理器は通常調理モードが選択された状態となって、店頭デモモードに移行することのない通常の加熱調理が行える状態が維持される。
【００４１】
また、例えば加熱調理器を販売する側で操作実演用として使用する場合、通常の加熱調理に使用する場合と同様にメモリ１７に記憶されている通常調理モードが選択された回数ｎの情報をクリア（ｎ＝０）にする操作（とりけしキー１３を連続して３回押す）を行う（Ｓ１０１）。ついで、通常の加熱調理を行う場合と同様にドア３を開放して加熱室２内に被加熱物を収容し、ドア３を閉塞した後操作部１０の電源スイッチを操作して電源を投入すると（Ｓ１０２）、制御装置１６は、メモリ１７に記憶されている通常調理モードが選択された回数ｎが予め設定された回数ｎ１（３回）以上であるかを判定し（Ｓ１０３，Ｓ１０４）、回数ｎが設定回数ｎ１（３回）以上（ｎ≧３）の場合は、すでに複数回通常の加熱調理が行われて通常調理モードが選択されていることとなり、操作部１０の表示器１５に通常調理モード状態であることを表示させ（Ｓ１０５）、加熱調理器を通常の加熱調理待機状態とする（Ｓ１０６）。しかしながら、加熱調理器は操作実演用として使用するため、メモリ１７の回数ｎのクリア操作を行って（Ｓ１０８）、再度通常調理モードが選択された回数ｎと予め設定された回数ｎ１との判定に戻る（Ｓ１０３，Ｓ１０４）。
【００４２】
また、メモリ１７の回数ｎが予め設定された回数ｎ１（３回）未満であった場合（Ｓ１０４）、制御装置１６は、加熱調理器が通常調理モードであるか店頭デモモードあるかが選択できないため、とりあえず操作部１０の表示器１５に店頭デモモード状態であることを示す連続表示デモを表示させ（Ｓ１１３）、操作部１０のスタートキー１２およびとりけしキー１３以外は操作受付不可状態とする（Ｓ１１４）。そして、とりけしキー１３を押さずにスタートキー１２を押と（Ｓ１１５，Ｓ１１７）、制御装置１６は店頭デモモードを選択したこととなる（Ｓ１１８）。ここで店頭デモモードが選択された状態を維持するためにメモリ１７の回数ｎのクリア操作を行い（Ｓ１１９）、ヒータ６およびマグネトロン７を駆動不可にして加熱調理器を模擬加熱調理待機状態とする（図７のＳ１２０）。
【００４３】
なお、実際に通常の加熱調理を行う場合は、スタートキー１２を押さずにとりけしキー１３を押して通常調理モードを選択し、前述したようにメモリ１７に記憶されている通常調理モードが選択された回数ｎに１回を加算（ｎ＋１）してその情報を更新するとともに（図６のＳ１１６）、操作部１０の表示器１５に通常調理モード状態であることを示す例えば「０」の数値を表示させ（Ｓ１０５）、加熱調理器を通常の加熱調理待機状態とする（Ｓ１０６）。そして、そのまま通常の加熱調理を行うときは、操作部１０を操作し、制御装置１６は、その操作情報に基づいてヒータ６またはマグネトロン７およびターンテーブルモータ５等を駆動制御し、加熱室２内に収容された被加熱物を加熱調理する（Ｓ１０７，Ｓ１０８，Ｓ１０９・・・Ｓ１０２・・・）。
【００４４】
模擬加熱調理待機状態において、操作部１０の調理を設定するいずれかのキー１１ａ〜１１ｅ等が操作されると（図７のＳ１２１）、制御装置１６は、その操作情報に基づいてヒータ６およびマグネトロン７以外のターンテーブルモータ５等を駆動して、加熱室２内の被加熱物の模擬加熱調理を開始する（Ｓ１２２）。このとき、表示器１５には実際に通常の加熱調理を行う場合と同様に設定された調理の調理時間や調理温度などが表示される。そして、被加熱物の模擬加熱調理が終了すると（Ｓ１２３）、制御装置１６は、ターンテーブルモータ５等の駆動を停止し、店頭デモモードを解除して通常調理モードに変更選択する操作（とりけしキー１３を３秒間以上押し続ける）が行われたかを判定し（Ｓ１２４）、操作が行われていないときは店頭デモモードのままであるので、操作部１０の電源スイッチが操作されて電源が切断されたかを判定し（Ｓ１２５）、電源が切断されるまで模擬加熱調理待機状態を維持して模擬加熱調理を行い（Ｓ１２０，Ｓ１２１・・・）、電源が切断された場合は加熱調理器の操作実演状態を終了させて次の電源投入を待つ（図６のＳ１０２・・・）。
【００４５】
そして、電源が投入されても加熱調理器は店頭デモモードのまま（メモリ１７の回数ｎがクリア（ｎ＝０））であるのでスタートキー１２を押し（Ｓ１０４，Ｓ１１３，Ｓ１１４・・・）、さらに確実性を持たせるためにメモリ１７の回数ｎのクリア操作を行えば、加熱調理器は模擬加熱調理待機状態となる（Ｓ１１９，図７のＳ１２０・・・）。
【００４６】
一方、被加熱物の模擬加熱調理が終了した後、店頭デモモードを解除して通常調理モードに変更選択する操作（とりけしキー１３を３秒間以上押し続ける）が行われたときは（Ｓ１２４）、制御装置１６は、店頭デモモードから通常調理モードに変更選択し、メモリ１７の回数ｎに１回を加算（ｎ＋１）してその情報を更新するとともに（図６のＳ１１６）、操作部１０の表器１５に通常調理モード状態であることを示す例えば「０」の数値を表示させ（Ｓ１０５）、加熱調理器を通常の加熱調理待機状態とする（Ｓ１０６）。そして、通常調理モードから店頭デモモードに変更選択する場合は、メモリ１７の回数ｎをクリアする操作を行い（Ｓ１０７）、加熱調理器を操作実演状態にして次の電源投入を待つ（Ｓ１０２・・・）。また、販売側で通常の加熱調理を設定回数ｎ１以上行った場合も、回数ｎをクリアする操作を行わない限り通常調理モードが選択された状態となっているため、店頭デモモードを選択する場合には回数ｎをクリアする操作（とりけしキー１３を連続して３回押す）を行う。
【００４７】
このように構成したことにより、実施の形態１とほぼ同じ作用および効果が得られ、加熱調理器を通常の加熱調理に使用する場合は加熱調理器を確実に通常調理モードに維持することができる。また、加熱調理器を操作実演用として使用する場合、回数ｎが予め設定された回数ｎ１未満でスタートキー１２が操作されて店頭デモモードが選択されたときに、回数ｎをクリアする操作を行うので、設定回数ｎ１以上通常の加熱調理を連続して行わない限り加熱調理器を店頭デモモードに確実に維持することができる。これにより、購入側および販売側のいずれの側でも使い勝手のよい加熱調理器を得ることができる。
【００４８】
【発明の効果】
以上のように本発明に係る加熱調理器は、被加熱物が収容される加熱室を有し、複数のキーを有する操作部が設けられた本体と、被加熱物を加熱する加熱手段と、操作部のキー操作に基づいて、加熱手段を制御して通常の加熱調理を行う通常調理モードまたは加熱手段の制御を禁止して模擬加熱調理を行う店頭デモモードのいずれかを選択し、選択されたモードを実行する制御装置と、通常調理モードの選択回数を記憶する記憶手段とを設け、制御装置は、記憶手段に記憶されている通常調理モードの選択回数が予め設定された通常調理モードの選択回数以上のときに、通常調理モードの選択なしに通常調理モードに移行し、操作部のキー操作により加熱調理を開始するので、購入側で店頭デモモードに移行するのを確実に防ぐことができる。これにより、販売側で店頭デモモードを解除するための特別な操作を行わなくてもよく、また従来のように使用頻度が低いキーとそれと離れた位置にあるキーとを操作するなどの複雑でわかりにくい煩わしい操作および制御が必要なくなり、使い勝手のよい加熱調理器を得ることができる。
【００４９】
本発明に係る加熱調理器の制御装置は、記憶手段に記憶されている通常調理モードの選択回数が予め設定された通常調理モードの選択回数未満で通常調理モードが選択されたときに、通常調理モードを選択して記憶手段に記憶されている選択回数を更新し、通常調理モードに移行するので、上記と同様の効果を得ることができる。
【００５０】
本発明に係る加熱調理器の制御装置は、通常調理モードが選択なしに実行されているときに、操作部のキー操作により記憶手段に記憶されている通常調理モードの選択回数をクリアにして、通常調理モードおよび店頭デモモードのいずれかを選択可能にするので、販売側でも使い勝手のよい加熱調理器を得ることができる。
【００５１】
本発明に係る加熱調理器の制御装置は、記憶手段に記憶されている通常調理モードの選択回数が予め設定された通常調理モードの選択回数未満で、操作部のキー操作により店頭デモモードが選択されたときに、記憶手段に記憶されている通常調理モードの選択回数をクリアにして、店頭デモモードを実行するので、通常調理モードが連続して選択されて予め設定された通常調理モードの選択回数以上の場合に限り店頭デモモードへの移行を防ぐことができ、販売側でも購入側でも使い勝手のよい加熱調理器を得ることができる。
【図面の簡単な説明】
【図１】  本発明の実施の形態の要部の構成を示すブロック図である。
【図２】  本発明の実施の形態の斜視図である。
【図３】  本発明の実施の形態に係る操作部の正面図である。
【図４】  本発明の実施の形態１の作用を説明するフローチャートである。
【図５】  本発明の実施の形態１の作用を説明するフローチャートである。
【図６】  本発明の実施の形態２の作用を説明するフローチャートである。
【図７】  本発明の実施の形態２の作用を説明するフローチャートである。
【符号の説明】
１  本体、２  加熱室、６  ヒータ、７  マグネトロン、１０  操作部、１２
スタートキー、１３  とりけしキー、１６  制御装置、１７  メモリ。
【図１】
0003791603.tif 000002
【図２】
0003791603.tif 000003
【図３】
0003791603.tif 000004
【図４】
0003791603.tif 000005
【図５】
0003791603.tif 000006
【図６】
0003791603.tif 000007
【図７】
0003791603.tif 000008